(57)【要約】【課題】テーブルの安定性が高く設置箇所に関わらず安定的な設置が可能なテーブルに用いる脚及びその脚の使用方法を提供する。【解決手段】テーブル１は、円形の天板２と、天板２の裏面に４本の脚３（３ａ〜３ｄ）を備える。脚３は、天板２の裏面に４つ設けられ、４つの脚本体３１の脚接地部３２が天板略中央部分から外周に向かって放射状に配置されている。脚３は、全体形状がＬ字状でなり、天板２から設置面へ向かって略垂直方向に形成される脚本体３１と、脚本体３１と略直交方向に設けられ脚３の設置面との設置領域を形成する脚接地部３２とからなる。この脚接地部３２には、脚本体３１との境界部分である屈曲部分近傍と、先端部分近傍との両方に、脚３の底面の高さを調整可能なアジャスタ３３ａ，３３ｂを備える。【選択図】図１
2014014406.tif 000002
【特許請求の範囲】
【請求項１】
天板と、前記天板に複数の脚を備え、
前記脚の少なくとも一部は、Ｌ字状で形成され、
前記Ｌ字状で形成した前記脚は、前記天板に放射状に配置され、
前記脚の底面には、前記Ｌ字状の屈曲部分近傍と先端部分近傍とに、それぞれ前記脚の底面の高さを調整可能なアジャスタを備えることを特徴とするテーブル。
【請求項２】
天板下に備えた脚の少なくとも一部がＬ字状に形成されたテーブルの設置方法であって、
Ｌ字状の底面における先端部分近傍と屈曲部分近傍とに、高さ方向に可変に構成された第１と第２のアジャスタを備えた前記脚を用いて、
テーブルの設置時に、
前記屈曲部分近傍の第２のアジャスタの接触面との間の摩擦係数が、前記先端部分近傍の第１のアジャスタの接触面との間の摩擦係数より小さくなるように前記第１及び第２のアジャスタを調整することを特徴とするテーブルの設置方法。
【請求項３】
前記第２のアジャスタは、テーブルの設置時に設置面から２〜５ｍｍ離れた状態に調整することを特徴とする請求項２記載のテーブルの設置方法。
【請求項４】
前記第１のアジャスタを接地させた後、前記第２のアジャスタの調整を行うことを特徴とする請求項２又は３記載のテーブルの設置方法。
【発明の詳細な説明】
【技術分野】
【０００１】
本発明は、テーブルに用いる脚及びその脚の使用方法の改良に関し、特に、安定的な設置が可能なテーブルの設置方法に関する。
【背景技術】
【０００２】
テーブルにおいては、天板下における足入れスペースを確保するため、天板を支える脚部の構成に様々な工夫が施されている。テーブルの脚部は、天板を支えるという機能性を確保しつつ、上述した足入れスペースの確保やデザイン性が求められるなど、多くの課題を有する。
【０００３】
例えば、円形のテーブルの脚部を、円形のベースとそのベースの中央に設けられた３本の支柱で構成することで、天板下の足入れスペースを確保する技術が提案されている（例えば、特許文献１参照）。この従来技術では、また、３本の支柱をカバーで覆うことにより、内部に配線を通して、天板中央から電源等が取れるような機能面への配慮がなされている。
【先行技術文献】
【特許文献】
【０００４】
【特許文献１】特開２００２−１３６３４７号公報
【発明の概要】
【発明が解決しようとする課題】
【０００５】
ところで、上記従来のテーブルは、ベースが円卓の径に対して小さい径で形成されているため、天板が水平回転方向に対して揺れやすく、足入れ部分の確保やデザイン性を高めることに成功している一方で、テーブルの安定感に課題があった。
【０００６】
本発明は、以上のような従来技術の課題を解決するために提案されたものであり、その目的は、テーブルの安定性が高く設置箇所に関わらず安定的な設置が可能なテーブルに用いる脚及びその脚の使用方法を提供することにある。
【課題を解決するための手段】
【０００７】
上記目的を達成するため、請求項１の発明は、天板と、前記天板に複数の脚を備え、前記脚の少なくとも一部は、Ｌ字状で形成され、前記Ｌ字状で形成した前記脚は、前記天板に放射状に配置され、前記脚の底面には、前記Ｌ字状の屈曲部分近傍と先端部分近傍とに、それぞれ前記脚の底面の高さを調整可能なアジャスタを備えることを特徴とする。
【０００８】
請求項２の発明は、請求項１に係るテーブルを設置する方法に関するものであり、天板下に備えた脚の少なくとも一部がＬ字状で形成されたテーブルの設置方法であって、Ｌ字状の底面における先端部分近傍と屈曲部分近傍とに、高さ方向に可変に構成された第１と第２のアジャスタを備えた前記脚を用いて、テーブルの設置時に、前記屈曲部分近傍の第２のアジャスタにおける接触面との間の摩擦係数が、前記先端部分近傍の第１のアジャスタにおける接触面との間の摩擦係数より小さくなるように前記第１及び第２のアジャスタを調整することを特徴とする。
また、請求項３の発明は、請求項２の発明において、前記第２のアジャスタは、テーブルの設置時に設置面から２〜５ｍｍ離れた状態に調整されたことを特徴とする。
【０００９】
以上の態様では、天板に対して放射状に配置された脚が、Ｌ字状に形成され、さらにそのＬ字状の脚の底面において屈曲部分近傍と先端部分近傍とに第１及び第２のアジャスタを設けた。これにより、テーブルを設置するに当たり、先端部分のつま先部分を接地させ、Ｌ字状の脚底面の屈曲部分に当たる踵部分を接地させず、屈曲部分近傍の第２のアジャスタにおける接触面との間の摩擦係数が、前記先端部分近傍の第１のアジャスタにおける接触面との間の摩擦係数より小さくなるように調整することが可能となる。
【００１０】
したがって、第１のアジャスタにおいて、テーブルの天板に対する水平回転方向の揺れを抑えることができるとともに、天板に対する垂直方向の荷重に対しては、天板へ積載物等が搭載された場合に沈み込むことで、屈曲部分近傍の第２アジャスタ側も接地され、垂直荷重に対しても対応可能なテーブルを提供することができる。
【００１１】
請求項４の発明は、請求項２又は３の発明において、前記第１のアジャスタを接地させた後、前記第２のアジャスタの調整を行うことを特徴とする。
【００１２】
以上の態様では、テーブルの設置に当たって、Ｌ字脚のつま先部分のアジャスタを接地させた後に、踵部分のアジャスタを接地させるようにする。仮に、踵部分を接地させた後に、つま先部分を接地させた場合、つま先部分の接地が不十分になり、結果としてテーブルに掛かる円周方向の力に弱く、テーブルの円周方向の揺れが起こりやすくなる。そこで、本態様では、まずＬ字脚のつま先部分のアジャスタを接地させることを主体とし、これにより、円周方向への揺れを防ぎ、その後に踵部分を接地させることで、つま先部分の接地を保ったまま垂直方向の荷重を受け得るようにすることが可能となる。
【発明の効果】
【００１３】
以上の本発明によれば、テーブルの安定性が高く設置箇所に関わらず安定的な設置が可能なテーブル及びテーブルの設置方法を提供することができる。
【図面の簡単な説明】
【００１４】
【図１】本発明の実施の形態に係るテーブルを示す斜視図。
【図２】本発明の実施の形態に係るテーブルの脚の構成を示す部分拡大図。
【図３】本発明の実施の形態に係るテーブルの設置手順を示す模式図。
【図４】本発明の他の実施の形態に係るテーブルの構成を示す斜視図（ａ）〜（ｃ）。
【発明を実施するための形態】
【００１５】
［１．本実施形態］
（１−１．構成）
図１は、本実施形態のテーブルの全体構成を示す斜視図である。テーブル１は、円形の天板２と、天板２の裏面に４本の脚３（３ａ〜３ｄ）を備える。
【００１６】
脚３は、上述の通り、天板２の裏面に４つ設けられ、４つの脚本体３１の脚接地部３２が天板略中央部分から外周に向かって放射状に配置されている。脚３は、全体形状がＬ字状でなり、天板２から設置面へ向かって略垂直方向に形成される脚本体３１と、脚本体３１と略直交方向に設けられ脚３の設置面との設置領域を形成する脚接地部３２とからなる。
【００１７】
この脚接地部３２には、脚本体３１との境界部分である屈曲部分近傍と、先端部分近傍との両方に、脚の底面の高さを調整可能なアジャスタ３３ａ，３３ｂを備える。このアジャスタ３３ａ，３３ｂは、設置面へ接地する部分となる薄板状の円形部材と、脚接地部３２への取り付け部分となる雄ネジ部分とからなり、これを脚接地部３２側に施された雌ネジに挿入し、その挿入量（又は出張り量）によって、脚本体３１の設置面からの高さを調整する。
【００１８】
脚３の脚接地部３２におけるアジャスタ３３ａ，３３ｂのより詳細な配置構成について図２を用いて説明する。図２は、脚接地部３２と設置面Ｆとの関係を拡大して示した図である。脚接地部３２のアジャスタ３３ａと、アジャスタ３３ｂとは、設置面Ｆとの関係において異なる接地構成によって設置されている。すなわち、脚接地部３２の先端部分近傍に設けられたアジャスタ３３ａは、設置面Ｆに接地するように調整されているが、屈曲部分近傍に設けられたアジャスタ３３ｂは、設置面Ｆから２〜５ｍｍ程度浮くように調整されている。
【００１９】
つまり、先端部分近傍に設けられたアジャスタ３３ａの接地面に対する摩擦係数と、屈曲部分近傍に設けられたアジャスタ３３ｂの接地面に対する摩擦係数とが異なり、かつアジャスタ３３ｂの接地面に対する摩擦係数が、アジャスタ３３ａの接地面に対する摩擦係数より小さくなるように設定されている。その具体的な実施態様として、アジャスタ３３ｂの接地面に対する摩擦係数より小さくするため、アジャスタ３３ａを接地させる一方で、アジャスタ３３ｂを接地面より２〜５ｍｍ程度浮かせて構成している。
【００２０】
ここで、摩擦力は、脚３の設置面（接触面）Ｆと平行方向に生じる力であり、かつ、重力（垂直荷重）に比例するものであるため、以下の式が成立する。
［式１］
Ｆ（摩擦力）＝ｆ’（垂直荷重）・μ（摩擦係数）
【００２１】
通常、ｆ’は一定であるが、テーブル１の場合、天板２上の積載物により垂直荷重が変化する。そこで、天板２上の積載物がない状態において、以下の関係が成立するようにしたものである。
［式２］
μ（アジャスタ３３ｂの摩擦係数）＜μ’（アジャスタ３３ａの摩擦係数）
【００２２】
なお、ここで、アジャスタ３３ｂの接地面からの調整距離を２〜５ｍｍとしているのは一例を示すものに過ぎず、例えば、アジャスタ３３ａ，３３ｂの設置面が板材やタイルなどの表面に凹凸がなく、テーブルを設置した際にアジャスタ３３ａの沈み込みがない場合と、アジャスタの設置面が絨毯や毛素材などのテーブルを設置した際にアジャスタ３３ａの沈み込みがある場合とでは、アジャスタ３３ｂの調整位置は適宜変更する必要がある。
【００２３】
［１−２．作用効果］
以上のような本実施形態のテーブル１においては、テーブル１を設置する際に、脚３の脚接地部３２における先端部分近傍に設けられたアジャスタ３３ａの設置面Ｆに対する摩擦係数が、アジャスタ３３ａの設置面Ｆに対する摩擦係数より小さくなるように設置する。
【００２４】
具体的には、図３（ａ）に示すように、まず、先に、先端部分近傍に設けられたアジャスタ３３ａを調整し、４つの脚３ａ〜３ｄのそれぞれのアジャスタ３３ａが、設置面Ｆに確実に接地するようにする。ここで、屈曲部分近傍に設けられたアジャスタ３３ｂよりも先に、先端部分近傍に設けられたアジャスタ３３ａから調整するのは、仮に、アジャスタ３３ｂから調整して接地させた場合、テーブル１の荷重をアジャスタ３３ｂで受けることとなり、その後にアジャスタ３３ａを調整したとしても、アジャスタ３３ｂに掛かる荷重をアジャスタ３３ａで受けることができないことによる。
【００２５】
なお、初期の設置時に、アジャスタ３３ａが、設置面Ｆに接地させることができるように、テーブル１の工場出荷時又は設置のための組み立て時において、アジャスタ３３ａを、アジャスタ３３ｂよりも突出するようにしておくことが好ましい。
【００２６】
上記のようにして、４つの脚３ａ〜３ｄのそれぞれのアジャスタ３３ａが、設置面Ｆに接地するようにした後、今度は、アジャスタ３３ｂの調整を行う。具体的には、図３（ｂ）に示すように、アジャスタ３３ａの接地面に対する摩擦係数を小さくするため、設置面Ｆより２〜５ｍｍ程度浮かせた状態にする。
【００２７】
以上のような本実施形態のテーブル１では、次のような効果を奏する。テーブル１では、天板２に対して放射状に配置された脚３が、Ｌ字状に形成され、さらにそのＬ字状の脚３の底面において屈曲部分近傍と先端部分近傍とにアジャスタ３３ａと３３ｂを設けた。
【００２８】
これにより、テーブル１を設置するに当たり、先端部分のつま先部分（アジャスタ３３ａ）を設置面Ｆに接地させ、Ｌ字状の脚底面の屈曲部分に当たる踵部分（アジャスタ３３ｂ）を接地させず、屈曲部分近傍の第２のアジャスタにおける設置面（接触面）Ｆとの間の摩擦係数が、前記先端部分近傍の第１のアジャスタにおける設置面Ｆとの間の摩擦係数より小さくなるように調整することが可能となる。
【００２９】
したがって、アジャスタ３３ａにおいて、テーブル１の天板２に対する水平回転方向の揺れを抑えることができるとともに、天板２に対する垂直方向の荷重に対しては、天板２へ積載物等が搭載された場合に天板２が沈み込むことで、屈曲部分近傍のアジャスタ３３ｂ側も接地され、垂直荷重に対しても対応可能なテーブル１を提供することができる。
【００３０】
また、テーブル１の設置に当たっては、Ｌ字脚のつま先部分のアジャスタ３３ａを接地させた後に、踵部分のアジャスタ３３ｂを設置面Ｆに接地させるようにする。仮に、踵部分のアジャスタ３３ｂを接地させた後に、つま先部分のアジャスタ３３ａを接地させた場合、つま先部分のアジャスタ３３ａの接地が不十分になり、結果としてテーブル１に掛かる円周方向の力に弱く、テーブル１の円周方向の揺れが起こりやすくなる。そこで、本態様では、まずＬ字脚のつま先部分のアジャスタ３３ａを接地させることを主体とし、これにより、円周方向への揺れを防ぎ、その後に踵部分のアジャスタ３３ｂを接地させることで、つま先部分のアジャスタ３３ａの接地を保ったまま垂直方向の荷重を受けることができるようになる。
【００３１】
［２．他の実施形態］
本発明は上記の実施形態に限定されるものではなく、例えば、次のような態様も包含するものである。すなわち、図１に示すテーブルの例は、代表的な実施形態を示したものであり、天板の形状や複数ある脚の組合せについては種々変更して構成することが可能である。例えば、図４（ａ）に示すように、天板が方形状のもの、同図（ｂ）に示すように、天板が楕円の形状のもので構成することも可能である。また同図（ｃ）に示すように、天板の一方の端部が方形で他方の端部が円形で構成される場合に、円形の端部側の脚を上述したＬ字状の脚３を放射状に配置することで構成し、方形の端部の脚を通常のストレートな棒状のものによって構成することも可能である。
【符号の説明】
【００３２】
１…テーブル
２…天板
３，３ａ〜３ｄ…脚
３１…脚本体
３２…脚接地部
３３ａ，３３ｂ…アジャスタ
Ｆ…設置面
【図１】
2014014406.tif 000003
【図２】
2014014406.tif 000004
【図３】
2014014406.tif 000005
【図４】
2014014406.tif 000006